(57)【要約】      （修正有）【課題】受光部が水平フラップで遮光されるときでも、光信号が受光部に到達することができる空調機を提供する。【解決手段】室内ユニット２では、受光部１４の近傍に、プリズムからなる導光部１８が配置されている。導光部１８は、水平フラップ１７が受光部１４に最も近接しているときに受光部１４よりも水平フラップ１７に近接する。また、導光部１８の第１部分は水平フラップ１７との近接部分より上に位置し、第２部分はその近接部分より下に位置する。その結果、受光部１４が水平フラップ１７で遮光されていても、導光部１８の第２部分は水平フラップ１７の下方に位置するので、光信号は導光部１８の第２部分から進入し、導光部１８の内部で反射して第１部分まで進行し、その第１部分から受光部１４に至る。【選択図】図５
2011080640.tif 000002
【特許請求の範囲】
【請求項１】
回動動作および／または上下移動動作を行う可動部材（１７）の近傍に、所定の遠隔操作装置から送信された光信号を受信するための受光部（１４）が配置されている受信装置を備えた空調機であって、
前記受光部（１４）近傍に、別体で、プリズムからなる導光部（１８）をさらに備えた、
空調機。
【請求項２】
前記導光部（１８）は、
前記可動部材（１７）が前記受光部（１４）に最も近接しているときに前記受光部（１４）よりも前記可動部材（１７）に近接する位置に配置され、
前記可動部材（１７）と前記導光部（１８）との近接部分より上に位置する第１部分（１８ａ）と、
前記近接部分より下に位置する第２部分（１８ｂ）と、
を有している、
請求項１に記載の空調機。
【請求項３】
前記導光部（１８）は、前記光信号を少なくとも１回反射させて前記受光部（１４）へ導く、
請求項２に記載の空調機。
【請求項４】
前記導光部（１８）は、前記第２部分（１８ｂ）から入った前記光信号を反射させて前記第１部分（１８ａ）まで進め、前記第１部分（１８ａ）に達した前記光信号を再び反射させて前記受光部（１４）へ導く、
請求項２に記載の空調機。
【請求項５】
前記遠隔操作装置へ光信号を送信する送光部が前記導光部（１８）の近傍に配置されているとき、
前記導光部（１８）は、前記送光部から送信された前記光信号を反射して前記遠隔操作装置へ導く、
請求項２に記載の空調機。
【請求項６】
前記導光部（１８）は、可視光を通さず赤外線を通す材料で成形されている、
請求項１から請求項５のいずれか１項に記載の空調機。
【請求項７】
前記第２部分（１８ｂ）の側面の角の一部が面取されている、
請求項２から請求項５のいずれか１項に記載の空調機。
【発明の詳細な説明】
【技術分野】
【０００１】
本発明は、遠隔操作装置から送信された光信号を受信する受信装置を備えた空調機に関する。
【背景技術】
【０００２】
空調機の遠隔操作は、遠隔操作装置と空調機に搭載された受信装置とを介して行われる。受信装置は、所定波長の赤外線を受信する受光部を有しており、その受光部は空調機の所定位置に固定されている。遠隔操作装置から発信された光信号は、受光部に直に入る場合もあれば、壁や天井に反射されから受光部に入る場合もあり、通常は支障なく受信されているが、ある条件下、例えば、遠隔操作装置と空調機との位置関係において受光部が遠隔操作装置の死角となった場合には、光信号が受光部に到達できないことがある。
【０００３】
そのような事態を回避するため、特許文献１（特開平８−１４５４４０号公報）に開示されている空調機では、反射板が受光部の周囲に配置されている。遠隔操作装置から発信された光信号は、その反射板に反射されて確実に受光部へ導かれる。
【発明の概要】
【発明が解決しようとする課題】
【０００４】
しかしながら、上記空調機では、反射板は受光部の周囲に設けられた孔に挿入され、空調機本体から突出するので、仮に、受光部が吹出口の上方に位置し、水平フラップがその近傍に位置する場合には、受光部および反射板ともに水平フラップに遮光される可能性がある。
【０００５】
本発明の課題は、受光部が水平フラップで遮光されたときでも、光信号が受光部に到達することができる空調機を提供することにある。
【課題を解決するための手段】
【０００６】
第１発明に係る空調機は、回動動作および／または上下移動動作を行う可動部材の近傍に、所定の遠隔操作装置から送信された光信号を受信するための受光部が配置されている受信装置を備えた空調機であって、受光部近傍に、別体でプリズムからなる導光部をさらに備えている。
【０００７】
この空調機では、プリズムからなる導光部が備えられたことによって、遠隔操作装置からの光信号がどの方向から発信されようとも、その光信号が確実に受信される。
【０００８】
第２発明に係る空調機は、第１発明に係る空調機であって、可動部材が受光部に最も近接しているときに受光部よりも可動部材に近接する位置に導光部が配置されている。また、導光部は第１部分と第２部分とを有している。第１部分は可動部材と導光部との近接部分より上に位置し、第２部分はその近接部分より下に位置する。
【０００９】
この空調機では、受光部が可動部材で遮光されていても、導光部の第２部分は可動部材の下方に位置するので、光信号は導光部の第２部分から進入して第１部分まで進行し、その第１部分から受光部に至る。その結果、遠隔操作装置からの光信号が受光部に受信されないという事態は回避される。
【００１０】
第３発明に係る空調機は、第２発明に係る空調機であって、導光部が、光信号を少なくとも１回反射させて受光部へ導く。この空調機では、遠隔操作装置からの光信号が受光部に受信されないという事態は回避される。
【００１１】
第４発明に係る空調機は、第２発明に係る空調機であって、導光部が、第２部分から入った光信号を反射させて第１部分まで進め、第１部分に達した光信号を再び反射させて受光部へ導く。この空調機では、遠隔操作装置からの光信号が受光部に受信されないという事態は回避される。
【００１２】
第５発明に係る空調機は、第２発明に係る空調機であって、遠隔操作装置へ光信号を送信する送光部が導光部の近傍に配置されているとき、導光部は、送光部から送信された光信号を反射して遠隔操作装置へ導く。
【００１３】
受光部が可動部材に遮光されて遠隔操作装置からの光信号が受光部に到達しないときは、空調機側からの光信号も遠隔操作装置に到達しない。しかし、この空調機では、送光部から出た光信号が、導光部の第１部分から進入して第２部分まで進行し、その第２部分から遠隔操作装置に至る。その結果、送光部からの光信号が遠隔操作装置に受信されないという事態は回避される。
【００１４】
第６発明に係る空調機は、第１発明から第５発明のいずれか１つに係る空調機であって、導光部が、可視光を通さず赤外線を通す材料で成形されている。
【００１５】
例えば、導光部が可視光を通す材料で成形されている場合、空調機側からの可視光が導光部から漏れて使用者に不安を与える可能性がある。しかし、この空調機では、導光部が可視光を通さない材料で成形されており、送受信用の赤外線しか導光部を通過しないので、可視光が導光部から漏れて使用者に不安を与えることは防止される。
【００１６】
第７発明に係る空調機は、第２発明から第５発明のいずれか１つに係る空調機であって、第２部分の側面の角の一部が面取されている。この空調機では、遠隔操作装置の光信号が、空調機の下方かつ側方から発信されたときでも、光信号は第２部分の面取から進入して第１部分まで進行し、その第１部分から受光部に至る。
【発明の効果】
【００１７】
第１発明に係る空調機では、プリズムからなる導光部が備えられたことによって、遠隔操作装置からの光信号がどの方向から発信されようとも、その光信号が確実に受信される。
【００１８】
第２発明から第４発明のいずれか１つに係る空調機では、光信号は導光部の第２部分から進入して第１部分まで進行し、その第１部分から受光部に至る。その結果、遠隔操作装置からの光信号が受光部に受信されないという事態は回避される。
【００１９】
第５発明に係る空調機では、送光部から出た光信号が、導光部の第１部分から進入して第２部分まで進行し、その第２部分から遠隔操作装置に至る。その結果、送光部からの光信号が遠隔操作装置に受信されないという事態は回避される。
【００２０】
第６発明に係る空調機では、送受信用の赤外線しか導光部を通過しないので、可視光が導光部から漏れて使用者に不安を与えることは防止される。
【００２１】
第７発明に係る空調機では、遠隔操作装置の光信号が、空調機の下方かつ側方から発信されたときでも、光信号は第２部分の面取から進入して第１部分まで進行し、その第１部分から受光部に至る。
【図面の簡単な説明】
【００２２】
【図１】本発明の一実施形態に係る空調機の運転停止中の室内ユニットの斜視図。
【図２】図１の室内ユニットの断面図。
【図３】（ａ）導光部の正面図、（ｂ）導光部の側面図。
【図４】受光部の近傍に配置された導光部の斜視図。
【図５】本発明の一実施形態に係る空調機の運転中の室内ユニットの斜視図。
【図６】図５の室内ユニットを吹出口の下方から見上げたときの斜視図。
【発明を実施するための形態】
【００２３】
以下図面を参照しながら、本発明の実施形態について説明する。なお、以下の実施形態は、本発明の具体例であって、本発明の技術的範囲を限定するものではない。
【００２４】
＜室内ユニット２＞
図１は、本発明の一実施形態に係る空調機の運転停止中の室内ユニットの斜視図である。また、図２は、図１の室内ユニットの断面図である。図１において、室内ユニット２は、壁面に装着される壁掛式の室内ユニットであり、室内の冷暖房等を行う。本体１０は、水平方向に長い直方体形状を有しており、正面には、正面パネル１１が取り付けられている。
【００２５】
図２において、本体１０は、上面にグリル１０ａ有し、背面に背面板１０ｃを有している。本体１０の内部には、フレーム８、室内熱交換器１２、ファン１３、及びフィルタ２１が配置されている。
【００２６】
ファン１３は、グリル１０ａから吸い込まれた空気を、室内熱交換器１２に当てて通過させた後、室内に吹き出す。室内熱交換器１２は、通過するその空気との間で熱交換を行う。室内熱交換器１２及びファン１３は、フレーム８に取り付けられている。
【００２７】
フレーム８の下部には、吹出口１５が設けられており、吹出口１５から吹き出される空気を案内する水平フラップ１７が、吹出口１５に取り付けられている。水平フラップ１７は、空気の吹出方向を変更したり、吹出口１５を開閉したりすることができる。
【００２８】
グリル１０ａと室内熱交換器１２との間にはフィルタ２１が配置されており、室内熱交換器１２に向って流入してくる空気に含まれる塵埃を除去する。また、室内ユニット２は、塵埃が付着したフィルタ２１を自動清掃するフィルタ清掃装置７０を備えている。
【００２９】
本体１０には、フィルタ清掃装置７０を制御する制御部７が内蔵されており、制御部７は、室内ユニット２の運転時間をカウントしている。先のフィルタ清掃運転からの累積運転時間が所定時間に到達したとき、制御部７は、ブラシ６１を回転させながらローラー４１を回転させ、フィルタ２１を所定回数だけ周回させる。
【００３０】
その間、ブラシ６１の毛材がフィルタ２１の網目に入り込んで、その網目につまった塵埃を掻き出す。その塵埃は、ブラシ６１の下方に位置するダストボックス６０内に溜まる。なお、室内ユニット２は、リモコン１１４（図５参照）を使って強制的にフィルタ清掃運転を実行することもできる。
【００３１】
受光部１４は、正面パネル１１の下端近傍に配置されている。受光部１４は、制御部７のプリント基板上に位置しており、リモコン１１４から発信される光信号を受信する赤外線式の受光素子１４１が実装されている。また、受光素子１４１の近傍には、複数の赤外線ＬＥＤ１４２が配置されている。また、受光部１４の下方には導光部１８が配置されている。以下、図面を参照しながら導光部１８について説明する。
【００３２】
図３（ａ）は導光部の正面図であり、（ｂ）は導光部の側面図である。図３（ａ），（ｂ）において、導光部１８は、Ａ−Ａ線に対して左右対称の形状を成している。導光部１８は、スリット１８３を挟んで左右に位置する２つの第１部分１８ａと、２つの第１部分１８ａの下端に隣接する第２部分１８ｂとを含んでいる。
【００３３】
第１部分１８ａの先端は角度４５°で面取され、第１斜面１８１が形成されている。同様に、第２部分１８ｂの先端も角度４５°で面取され、第２斜面１８２が形成されている。また、第２部分１８ｂの第２斜面１８２を挟む両側面も所定角度で面取りされ、側部斜面１８ｃが形成されている。さらに、第２部分１８ｂの側面からは取付部１８ｄが突出している。その取付部１８ｄには、ネジが通る貫通穴１８ｅがあけられている。
【００３４】
図４は、受光部の近傍に配置された導光部の斜視図である。図４において、導光部１８は、受光部１４の下方の斜面に取付部１８ｄを介してネジ止めされる。２つの第１部分１８ａの一方は受光素子１４１と対峙し、他方は赤外線ＬＥＤ１４２に対峙している。
【００３５】
導光部１８では、第２部分１８ｂから入った光は、第２部分１８ｂ内および第１部分１８ａ内を反射しながら進行し、第１部分１８ａから出て行く。逆に、第１部分から入った光は、第１部分１８ａ内および第２部分１８ｂ内を反射しながら進行し、第２部分１８ｂから出て行く。
【００３６】
図５は、本発明の一実施形態に係る空調機の運転中の室内ユニットの斜視図である。また、図６は、図５の室内ユニットを吹出口の下方から見上げたときの斜視図である。図５及び図６において、室内ユニット２は冷房運転または暖房運転を行っており、水平フラップ１７は本体１０の前下方へ迫出している。水平フラップ１７が受光部１４に最も近接するように迫出しているとき、水平フラップ１７の奥行方向の一端が導光部１８の第１部分１８ａと第２部分１８ｂとの中間位置に近接している。
【００３７】
このとき、リモコン１１４から発信された光信号は、水平フラップ１７に遮蔽されて直に受光部１４へ到達することができない。しかし、第２部分１８ｂは水平フラップ１７より下方（吹出口１５の中）に露出しているので、光信号は第２部分１８ｂに入る。第２部分１８ｂから入った光信号は、第２部分１８ｂ内および第１部分１８ａ内を反射しながら進行し、第１部分１８ａから出て、受光素子１４１に到達する。
【００３８】
逆に、赤外線ＬＥＤ１４２から発信された光信号は、第１部分１８ａに入る。第１部分１８ａから入った光信号は、第１部分１８ａ内および第２部分１８ｂ内を反射しながら進行し、第２部分１８ｂから出て、リモコン１１４に到達する。
【００３９】
＜特徴＞
（１）
室内ユニット２では、受光部１４の近傍に、プリズムからなる導光部１８が配置されている。導光部１８は、水平フラップ１７が受光部１４に最も近接しているときに受光部１４よりも水平フラップ１７に近接する。また、導光部１８の第１部分１８ａは水平フラップ１７との近接部分より上に位置し、第２部分１８ｂはその近接部分より下に位置する。
【００４０】
その結果、受光部１４が水平フラップ１７で遮光されていても、導光部１８の第２部分１８ｂは水平フラップ１７の下方（吹出口１５の中）に位置するので、光信号は導光部１８の第２部分１８ｂから進入し、導光部１８の内部で反射して第１部分１８ａまで進行し、その第１部分１８ａから受光部１４に至る。したがって、リモコン１１４からの光信号が受光部１４に受信されないという事態は回避される。
【００４１】
（２）
室内ユニット２では、リモコン１１４へ光信号を送信する送光部（赤外線ＬＥＤ１４２）が導光部１８の近傍に配置されている。赤外線ＬＥＤ１４２から出た光信号は、導光部１８の第１部分１８ａから進入し、導光部１８の内部で反射して第２部分１８ｂまで進行し、その第２部分１８ｂからリモコン１１４に至る。したがって、赤外線ＬＥＤ１４２からの光信号がリモコン１１４に受信されないという事態は回避される。
【００４２】
（３）
導光部１８は、可視光を通さず赤外線を通す材料で成形されているので、室内ユニット２側の可視光が導光部１８から漏れて使用者に不安を与えることは防止される。
【００４３】
（４）
導光部１８の第２部分１８ｂの側面の角の一部が面取されているので、室内ユニット２の下方かつ側方から発信されたときでも、光信号は第２部分１８ｂの面取部（側部斜面１８ｃ）から進入し、導光部１８の内部で反射して第１部分１８ａまで進行し、その第１部分１８ａから受光部１４に至る。
【００４４】
＜変形例＞
上記実施形態によれば、導光部１８は、受光部１４が水平フラップ１７に遮蔽される室内ユニット２で効果を発揮しているが、それだけに限定されるものではない。例えば、正面パネルが前方に移動して吸込口を確保する室内ユニットにおいて、正面パネルが前方に移動したときに受光部１４を遮蔽する場合も、導光部１８は同様の効果を発揮する。
【産業上の利用可能性】
【００４５】
以上のように、本発明によれば、可動部材の近傍に光信号を受信する受光部が配置されている機器に有用である。
【符号の説明】
【００４６】
１４  受光部
１７  水平フラップ（可動部材）
１８  導光部
１８ａ  第１部分
１８ｂ  第２部分
【先行技術文献】
【特許文献】
【００４７】
【特許文献１】特開平８−１４５４４０公報
【図１】
2011080640.tif 000003
【図２】
2011080640.tif 000004
【図３】
2011080640.tif 000005
【図４】
2011080640.tif 000006
【図５】
2011080640.tif 000007
【図６】
2011080640.tif 000008